(57)【特許請求の範囲】
【請求項１】
横方向へ配列されてそれぞれ試験用小魚を収容する多数の引き出し状水槽と、
前記各引き出し状水槽の上端開口を個別に覆う蓋カバーと、
前記各引き出し状水槽を個別に前方へ引き出し可能に支持し、かつ、前記各引き出し状水槽を垂直方向へ多段に支持するフレームと、
前記各引き出し状水槽へ個別に水を供給する給水ユニットと、
を備え、
前記引き出し状水槽の少なくとも両壁部は、透明樹脂により形成され、かつ、
前記引き出し状水槽の奥壁部は、上方から落下する水を前記引き出し状水槽内に案内するために斜設された水受け部を有することを特徴とする試験用小魚の飼育装置。
【請求項２】
前記給水機構は、同一段の前記各引き出し状水槽の前記水受け部の上方に位置して略水平方向へ延在する分配用水槽を有し、
前記分配用水槽は、同一段の前記各引き出し状水槽の前記水受け部の直上に形成されて前記各水受け部に水を滴下させる多数の水落下用孔部を有する請求項１記載の試験用小魚の飼養装置。
【請求項３】
前記水落下用孔部は、前記分配用水槽の底面から所定高さだけ立設された水落下筒部に設けられている請求項２記載の試験用小魚の飼養装置。
【請求項４】
前記分配用水槽は、前記分配用水槽内の水位を前記水落下筒部の上端よりも所定レベルだけ高く維持するための溢流部を有し、
所定階の前記各引き出し状水槽に水を供給するための第１の前記
配用水槽に設けられた前記皿溢流部は、前記所定階の直下に位置
する前記各引き出し状水槽に水を供給するための第２の前記分配用
水槽に水を溢流させる請求項３記載の試験用小魚の飼養装置。
【請求項５】
前記引き出し状水槽の前記壁部は、前記引き出し状水槽の水位を所定レベルに維持するための水槽溢流部を有する請求項１記載の試験用小魚の飼養装置。
【請求項６】
前記水槽溢流部は、前記引き出し状水槽の前壁部に突設されている請求項５記載の試験用小魚の飼養装置。
【請求項７】
それぞれ前後方向へ延在する多数のポケットが横方向及び高さ方向へ配置されるフレームと、
前後方向へスライド可能に前記各ポケットに個別に収容される試験用小魚収容用の多数の引き出し状水槽と、
前記フレームに隣接配置されて前記各引き出し状水槽へ個別に水を供給する給水ユニットとをを備え、
前記引き出し状水槽はそれぞれ、前記給水ユニットから水を受け取る水受け部と、前記引き出し状水槽内の水を外部にオーバーフローさせる水槽溢流部とを有し、
前記各水受け部は、前記引き出し状水槽の奥部から前記給水ユニットへ向けて突設されることを特徴とする試験用小魚の飼養装置。
【請求項８】
前記給水機構は、同一段の前記各引き出し状水槽の前記水受け部の上方に位置して略水平方向へ延在する分配用水槽を有し、
前記分配用水槽は、同一段の前記各引き出し状水槽の前記水受け部の直上に形成されて前記各水受け部に水を滴下させる多数の水落下用孔部を有する請求項７記載の試験用小魚の飼養装置。
【請求項９】
前記水落下用孔部は、前記分配用水槽の底面から所定高さだけ立設された水落下筒部に設けられている請求項８記載の試験用小魚の飼養装置。
【請求項１０】
前記分配用水槽は、前記分配用水槽内の水位を前記水落下筒部の上端よりも所定レベルだけ高く飼養するための皿溢流部を有し、
所定階の前記各引き出し状水槽に水を供給するための第１の前記分配用水槽に設けられた前記皿溢流部は、前記所定階の直下に位置する前記各引き出し状水槽に水を供給するための第２の前記分配用水槽に水を溢流させる請求項９記載の試験用小魚の飼養装置。
【発明の詳細な説明】
【技術分野】
【０００１】
本発明は、試験用小魚の飼育装置に関し、特に試験用のゼブラフィッシュを管理する装置に関する。
【背景技術】
【０００２】
生育が早く小さいゼブラフィッシュは、薬剤効果の判定や遺伝子処理効果の判定に好適である。たとえば薬剤効果の判定において試験条件がそれぞれ変えられた１００を超える非常に多数の個体を調べる必要がある。遺伝子処理においても、産生された非常に多数の個体から適切な特徴を持つ個体を選別する必要がある。多くの場合、この選別は光学的に実施される。
【０００３】
このため、付番された多数のゼブラフィッシュを個別に飼養することが必要になる。これは、多数の水槽を各ゼブラフィッシュごとに個別に準備する必要があることを意味する。しかしながら、ゼブラフィッシュを飼養するには各水槽に水を循環させ、かつ各水槽に定期的に餌を与えねばならない。結局、百を超える水槽にゼブラフィッシュを個別に飼養することは広いスペースを必要とするうえ、手間がかかった。
【０００４】
特許文献１は、それぞれゼブラフィッシュが収容された多数の水室が集合化された集合水槽を提案する。盥状に形成されたこの集合水槽をデバイダと呼ばれる隔壁により行列状に区画することにより、多数の水室が集合水槽内に形成される。ゼブラフィッシュの飛び出しを防ぐために、これらの水槽は列ごとに長尺の蓋板により覆われる。デバイダは水が流通可能な孔をもつ。給水装置が共通水槽に供給する水は各水槽を通って、外部に排出される。
【０００５】
しかしながら、この集合水槽方式のゼブラフィッシュ飼養装置は、多数のゼブラフィッシュを狭小なスペースで個別飼養できるものの解決されるべき次の問題をもつことがわかった。第１の問題は、水が隔壁を貫通して各水室を順次流れるため、各水室内のゼブラフィッシュを異なる条件で飼養できないことである。たとえば、各ゼブラフィッシュへの餌量や投与薬剤量を変更しても、それらは流れる水を通じて隣接する水室に移動するため、各水室に与えられる条件は共通化されてしまう。
【０００６】
第２の問題は、この種のゼブラフィッシュ個別飼養装置では、飼養中の各ゼブラフィッシュの変化を頻繁に観察する必要がある。しかし、各水室が行列状に配列された特許文献１の装置では、各水室内のゼブラフィッシュを上方からしか観察することができない。ゼブラフィッシュの上方からの投影面積は非常に小さいため、ゼブラフィッシュの変化を上方からだけの観察では判別が難しかった。
【先行技術文献】
【特許文献】
【０００７】
【特許文献１】US２０１３ /０２０６０７７A１
【発明の概要】
【０００８】
本発明の一つの目的は、多数の試験用小魚を異なる条件で飼養可能な集合型の試験用小魚の飼育装置を提供することである。本発明のもう一つの目的は、狭小スペースで多数の試験用小魚を個別飼養できるにもかかわらず、各試験用小魚の観察や判定が容易な集合型の試験用小魚の飼育装置を提供することである。
【０００９】
本発明の装置の一つの様相によれば、試験用小魚をそれぞれ収容する多数の水槽はそれぞれ引き出し形状に形成される。各引き出し状水槽を支持するフレームは少なくとも左右方向へ配列された所定数の角形ポケットをもち、各引き出し状水槽は各角形ポケットに個別に前後方向へスライド可能に収納される。したがって、すべての引き出し状水槽を、必要に応じてフレームの角形ポケットから個別に引き出し、その後、フレームの角形ポケットへ再び押し込まれる。
【００１０】
引き出し状水槽の少なくとも側壁部は透明樹脂により形成されているため、各引き出し状水槽が左右方向へ略隣接した状態で配列されているにもかかわらず、フレームから引き出された引き出し状水槽の側面から内部のゼブラフィッシュを観察して判定することができる。言い換えれば、ゼブラフィッシュの視認性を損なうことなく、個別飼養をコンパクトな空間で実現することができる。
【００１１】
各引き出し状水槽に個別に被せられた蓋カバーにより、各引き出し状水槽は個別に覆われるため、一つの引き出し状水槽の蓋板を外した時、ゼブラフィッシュが隣の引き出し状水槽に飛び込むのを防止することができる。
【００１２】
給水機構は、各引き出し状水槽へ個別に水を供給するため、一つの引き出し状水槽内の水が隣の引き出し状水槽に拡散することがない。その結果、ある引き出し状水槽内の水に混入する餌や薬剤が隣の引き出し状水槽に拡散することがない。したがって、各引き出し状水槽内のゼブラフィッシュに異なる飼養条件を与えることができる。以上に説明した各効果により、多数の試験用小魚をコンパクトかつ使い勝手良く個別飼養することが可能となった。
【００１３】
好適な一つの態様によれば、フレームの角形ポケットは、左右方向とともに垂直方向へも配列される。言い換えれば、個別に前後方向へスライド可能な多数の引き出し状水槽は、横方向及び垂直方向へ配列される。これにより、観察性を劣化させることなく多数の引き出し状水槽を狭小な空間に集積することが可能となった。なお、角形ポケットは一体のフレーム内に垂直方向へ多段に形成されることができる他、左右方向へ配列された複数の角形ポケットをもつ単段フレームを垂直方向へ所定段数だけ積み重ねるようにしてもよい。すなわち、フレーム及び各引き出し状水槽は箪笥状に形成される。
【００１４】
好適なもう一つの態様によれば、引き出し状水槽の奥壁部は、上方から落下する水を水槽内へ案内するために斜設された水受け部を有する。これにより、各引き出し状水槽への所定流量の水の個別供給を簡素に実行することができる。
【００１５】
好適なもう一つの態様によれば、同一段の各引き出し状水槽の水受け部の上方に水落下用の分配用水槽が配置される。水は各分配用水槽に設けられた水落下用孔部から各水受け部へ個別に落下する。その結果、給水構造を複雑化することなく各引き出し状水槽への水の供給量を等しくすることができる。
【００１６】
好適なもう一つの態様によれば、この水落下用孔部は、分配用水槽の底面からほぼ等しい高さをもつ水落下筒部により構成される。このようにすれば、各水落下用孔部から各水受け部への落下水量を簡素な機構で一定化することができる。言い換えれば、分配用水槽には水落下筒部の高さに相当する水量が常に保持される。これは、分配用水槽内における水平方向への水の移動抵抗は非常に小さくなり、分配用水槽内の水面のレベルがばらつくことがないためである。
【００１７】
好適なもう一つの態様によれば、分配用水槽内は水落下筒部の上端よりも所定レベルだけ溢流部を有する。これにより、簡素な機構で各引き出し状水槽への個別の水供給量をほぼ一定とすることができる。
【００１８】
好適なもう一つの態様によれば、上方の分配用水槽の溢流部から溢流した水は直下の分配用水槽に落下する。これにより、多段に配置された引き出し状水槽への略定量の水の供給を簡素な機構で実現することができる。
【００１９】
好適なもう一つの態様によれば、引き出し状水槽の好適には前壁部は、引き出し状水槽の水位を所定レベルに維持するための水槽溢流部を有する。これにより、簡素な機構で多数の引き出し状水槽の水位を一定とすることができる。さらに、引き出し状水槽に奧から前への水の流れを形成することができるため、引き出し状水槽内のゴミを外部に流出させることができる。当然、水槽溢流部は水槽内のゼブラフィッシュが溢流しないサイズに形成される。
【００２０】
好適なもう一つの態様によれば、フレームは積層可能な複数のフレームユニットからなり、各フレームユニットは一段分の引き出し状水槽を収容する。給水ユニットも積層可能な複数の分配用水槽からなる。一つの分配用水槽は、一段分の引き出し状水槽への給水を行う。フレームユニットおよび分配用水槽は上下方向へ分解可能に連結されている。これにより、引き出し状水槽数の増減および各部の清掃が容易となる。
【００２１】
好適なもう一つの態様によれば、分配用水槽の底板から複数の水落下筒部が垂下し、複数の給水ロッドが各水落下筒部に個別に嵌められている。分配用水槽の水は水落下筒部と給水ロッドとの間の隙間を通じて、引き出し状水槽に供給される。給水ロッドの上下移動により、水落下筒部の詰まりを防止することができる。
【００２２】
好適なもう一つの態様によれば、一つの分配用水槽内の各給水ロッドは、共通の給水ロッド保持板に連結されている。これにより、この給水ロッド保持板を上下することにより、各水落下筒部を容易に清掃することができる。
【図面の簡単な説明】
【００２３】
【図１】図１はこの試験用小魚の飼育装置の全体構成を示す斜視図である。
【図２】図２はフレーム及び給水ユニットを示す斜視図である。
【図３】図３は一つの引き出し状水槽を示す斜視図である。
【図４】図４は図１に示される試験用小魚の飼育装置の正面図である。
【図５】図５はこの装置の透視斜視図である。
【図６】図６はこの装置の縦断面図である。
【図７】図７は第２実施例の飼育ユニットを示す斜視図である。
【図８】図８は第２実施例の飼育ユニットを示す斜視図である。
【図９】図９は第２実施例の飼育ユニットを示す斜視図である。
【図１０】図１０は３段の飼育ユニットを示す斜視図である。
【図１１】図１１は３段の飼育ユニットを示す斜視図である。
【図１２】図１２は３段の飼育ユニットを示す斜視図である。
【図１３】図１３は分配用水槽を示す斜視図である。
【図１４】図１４は分配用水槽を示す斜視図である。
【図１５】図１５は給水ロッド保持板と連結される給水ロッドを示す断面図である。
【図１６】図１６は分配用水槽内に収容された給水ロッド保持板を示す正面図である。
【発明を実施するための形態】
【００２４】
第１実施例
本発明の試験用小魚の飼育装置の第１の実施態様が図面を参照して説明される。試験用小魚としてはゼブラフィッシュが採用される。ただし、本発明はこの実施態様に限定解釈されるべきではなく、本発明の主題を逸脱しない範囲で変更可能である。
【００２５】
図１はこの試験用小魚の飼育装置の全体構成を示す斜視図である。この飼育装置は、１５個の引き出し状水槽１と、引き出し状水槽１を収容する角箱状のフレーム２と、フレーム２の奧側に隣接配置された給水ユニット５とを有している。各引き出し状水槽１にはそれぞれ一尾のゼブラフィッシュと一定量の水とが収容されている。各引き出し状水槽１内の清浄性を維持するために角箱状水槽内の水は定期的に交換される。
【００２６】
図２はフレーム２及び給水ユニット５を示す斜視図である。フレーム２は横５列縦３段に配列された合計１５個の角形ポケット２０を有する。図１に示されるように、各角形ポケット２０はそれぞれ一個の引き出し状水槽１を収容している。各引き出し状水槽１は、前後方向へスライド可能に角形ポケット２０に支持されている（図１参照）。
【００２７】
図３は一つの引き出し状水槽１を示す斜視図である。引き出し状水槽１は長方形の底部の周囲に設けられた前壁部１１、一対の側壁部１２、１３及び奧壁部１４を有している。引き出し状水槽１の上端開口は蓋カバー４により覆われている。
【００２８】
引き出し状水槽１は、奧壁部１４の上部から奧上方向へ斜設された水受け部１５を有している。水受け部１５に落下した水滴は水受け部１５の斜面を流れて引き出し状水槽１内に導かれる。
【００２９】
さらに、引き出し状水槽１は、前壁部１１の上部から前上方向へ斜設された餌投入部１６を有している。 餌投入部１６に落下した餌又は餌入り水は餌投入部１６の斜面を流れて引き出し状水槽１内に導かれる。
【００３０】
さらに、引き出し状水槽１は、前壁部１１の上部に設けられた２つの細孔１８と、前壁部１１から前下方向へ斜設された溢流水案内プレート１９とからなる水槽溢流部１７を有している。２つの細孔１８の直下に設けられた 溢流水案内プレート１９は溢流水を前壁部１１から離すことにより、溢流水が下段の細孔１８を通じて下段の引き出し状水槽１へ再流入するのを防止している。
【００３１】
給水機構３が図４乃至図６を参照して説明される。図４は図１に示される試験用小魚の飼育装置の正面図であり、図５はこの装置の透視斜視図であり、図６はこの装置の縦断面図である。この給水機構３は、給水ユニット５と、給水ユニット５の上方に配設された給水パイプ５１と、給水パイプ５１から下方へ分岐する２本の垂下パイプ５２にそれぞれ設けられた２つの電磁式又は手動式の開閉弁５３とからなる。２つの開閉弁５３を定期的に一定時間だけ開くことにより、所定量の水が垂下パイプ５２から上段の分配用水槽６に定期的に所定量だけ落下する。
【００３２】
略直方体形状の給水ユニット５は、引き出し状水槽１を収容するためのフレーム２の奧壁部に固定されている。給水ユニット５は、垂直方向へ配列された３つの分配用水槽６乃至８を有している。すなわち、給水ユニット５は、上段の引き出し状水槽１に給水するための分配用水槽６と、中段の引き出し状水槽１に給水するための分配用水槽７と、下段の引き出し状水槽１に給水するための分配用水槽８とを有している。各分配用水槽６乃至８は支持プレートにより一体化されるとともに、この支持プレートを通じてフレーム２の奧壁部に固定されている。
【００３３】
長箱状に形成された分配用水槽６乃至８はそれぞれ、横方向へ延在している。これより、分配用水槽６乃至８はそれぞれ、横方向へ配列された各段の５つの引き出し状水槽１に給水可能となっている。上段の分配用水槽６は中段の分配用水槽７の直上に配置され、中段の分配用水槽７は下段の分配用水槽８の直上に配置されている。
【００３４】
分配用水槽６乃至８の構造が以下に説明される。分配用水槽６乃至８は実質的に同一構造をもつため、分配用水槽６だけが以下において説明される。分配用水槽６は、分配用水槽６の底部を貫通してそれぞれ垂下する筒部からなる一つの 溢流部９及び５つの水落下筒部１０を有している。水落下筒部１０は、水が落下するための水落下用孔部を有している。１５個の水落下筒部１０が１５個の水受け部１５の直上に個別に配置されている。
【００３５】
溢流部９の上端は分配用水槽６の底面から所定の高さまで立設されており、水落下筒部１０の上端も分配用水槽６の底面からわずかに上方へ突出している。これにより、分配用水槽６の最低水位が規定され、分配用水槽６内の水の水平方向への流動性が確保される。その結果、分配用水槽６内の各部の水位は常に一定となり、分配用水槽６内の５つの水落下筒部１０の高さが等しければ、分配用水槽６から各水落下筒部１０内へ溢流する水量はほぼ等しくなる。
【００３６】
筒状の溢流部９の上端は水落下筒部１０の上端よりも高く形成され、 溢流部９の口径は水落下筒部１０の口径よりも遙かに大きく形成されている。したがって、開閉弁５３が所定時間だけ開かれると、垂下パイプ５２から落下した水は上段の分配用水槽６に溢流部９の高さまで貯留された後、分配用水槽６の溢流部９を通じて中段の分配用水槽７に落下する。次に、水は中段の分配用水槽７に溢流部９の高さまで貯留される。その後、中段の分配用水槽７の溢流部９を通じて下段の分配用水槽８に落下する。次に、水は下段の分配用水槽８に溢流部９の高さまで貯留され、その後、下段の分配用水槽８の溢流部９を通じて図略の水回収装置に落下する。
【００３７】
溢流部９の口径が大きいため、上段の分配用水槽６への水の落下が開始されてから下段の分配用水槽８の溢流部９が水の溢流を開始するまでに要する水落下時間は短い。このため、各分配用水槽６乃至８にそれぞれ所定量の水を貯留するのに要する時間は短く、この期間内における各水落下筒部１０を通じての各引き出し状水槽１への水の供給量の差は小さい。
【００３８】
溢流部９の高さまで貯留された各分配用水槽６乃至８の水は、合計１５個の水落下筒部１０を通じて各引き出し状水槽１に個別に落下する。すべての水落下筒部１０の口径は等しいため、ほぼ等量の水が各引き出し状水槽１に供給される。この水の供給は分配用水槽６乃至８内の水位が水落下筒部１０の高さに達した時、終了する。
【００３９】
各引き出し状水槽１の細孔１８から溢れた水は溢流水案内プレート１９を経て下方へ落下する。したがって、各引き出し状水槽１は細孔１８の下端により規定される水位を維持する。各引き出し状水槽１は餌投入部１６を個別に有するため、各引き出し状水槽１内のゼブラフィッシュに与えられる餌量は個別に制御されることができる。
【００４０】
この装置によれば、合計１５尾のゼブラフィッシュが各引き出し状水槽１内に所定期間だけ個別に飼養される。引き出し状水槽１を引き出すことにより、各ゼブラフィッシュは上方及び側方から個別に観察乃至撮影される。
【００４１】
変形態様が以下に説明される。蓋カバー４はたとえば前後方向にスライド可能に引き出し状水槽１の上面に保持されることができる。引き出し状水槽１の少なくとも壁部は、アクリル樹脂の透明樹脂により形成されている。引き出し状水槽１の少なくとも内面に抗菌効果を有する光透過性の被膜をコーティングしてもよい。
【００４２】
引き出し状水槽１は隔壁により奥行き方向へ複数の小室に区画されることができる。ゼブラフィッシュは各小室に個別に収容される。各小室への給水はたとえば蓋カバーに開けられた孔を通じて行うことができる。各小室からの溢流水は引き出し状水槽１の側壁の上部から外部へ排出されることができる。溢流は、前方へ引き出された引き出し状水槽１に被せられた蓋カバー４を外すか又は蓋カバー４に設けられた孔から実施されることができる。ゼブラフィッシュが隣接する小室に飛び込むのを防止するため、蓋カバーは各小室ごとに分割されることが重要である。
【００４３】
第２実施例
本発明の試験用小魚の飼育装置の第２の実施態様が図面を参照して説明される。この実施態様の装置は幾つかの工夫点を除いて既述された第１実施例の装置と本質的に同じである。最も大きな相違は、この実施態様の飼育装置は、複数の飼育ユニットが高さ方向へ積み重ねられて構成されている点である。その結果、積み重ね段数の変更により、設置に必要な水平投影面積の増加なし飼育数の適切な変更が可能となる。
【００４４】
１段の飼育ユニット１００が図７-図９を参照して説明される。この飼育ユニット１００は、５個の引き出し状水槽１と、それらを横一列に収容する１段のフレームユニット２２と、フレームユニット２２に隣接して配置された１段の分配用水槽２５とからなる。引き出し状水槽１は第一実施例の引き出し状水槽１と本質的に同じである。同様に、分配用水槽２５も第一実施例の分配用水槽と本質的に同じである。
【００４５】
フレームユニット２２は、６枚の側板２２１-２２６と、各１枚の底板２２７および天板２２８からなる。各側板は互いに所定間隔を隔てて底板上に立てられており、天板を支えている。これにより、フレームユニット２２は５個の引き出し状水槽１を個別に収容するための５個のスペースをもつ。６枚の側板２２１-２２６のうち、左右両端の側板である外側板２２１、２２６は、分配用水槽２５を支持するために後方へ突出している。
【００４６】
さらに、６枚の側板２２１-２２６はそれぞれ、溢流水をガイドするために、底板および天板よりも前方に突出している。これら側板２２１-２２６の前方突出部分には、溢流水を案内するためのスリット２２０が斜設されている。各引き出し状水槽１の細孔１８から溢れた水は溢流水案内プレート１９によりスリット２２０の上方へ落下した後、スリット２２０に沿って側板２２１-２２６の前端に達した後、落下する。落下した溢流水は図略の排水装置に誘導される。これにより、所定の引き出し状水槽１がフレームユニット２２に着脱される時、上方の引き出し状水槽１の溢流水がこの所定の引き出し状水槽１内に流入することが防止される。各引き出し状水槽１は溢流用の細孔１８の下端により規定される水位を維持する。各引き出し状水槽１は孔部からなる餌投入部１６を個別に有する。
【００４７】
分配用水槽２５はフレームユニット２２の奥側の側面に隣接して配置されている。上端開口の長い角箱からなる分配用水槽２５は、フレームユニット２２の一対の外側板２２１および２２６に上下スライド可能に支持されている。分配用水槽２５の左右両端は下方に突出する突起２５０を有し、突起２５０は外側板２２１および２２６の上端から上方へ突出する突起２５２に嵌合している。これにより、分配用水槽２５は、フレームユニット２２に対して上方へのみスライド可能に支持される。
【００４８】
給水のために、分配用水槽２５はフレームユニット２２に対して所定の高さに保持される。図７は分配用水槽２５をフレームユニット２２に固定する前の状態を斜め上から見下ろした斜視図である。図８は分配用水槽２５をフレームユニット２２に固定した後の状態を斜め上から見下ろした斜視図である。図９は１段の飼育ユニット１００を斜め下から見上げた斜視図である。
【００４９】
３段の飼育ユニット１００の積層状態が図１０および図１１を参照して説明される。図１０において、１段の飼育ユニット１００が、既に積み重ねられた２段の飼育ユニット１００の上方に位置している。図１１において、３段の飼育ユニット１００が積層されている。フレームユニット２２の側壁２２２-２２５は、フレームユニット２２の底板２２７から下方に突出する下方突起２２９を有している。これらの下方突起２２９は、直下のフレームユニット２２の天板２２８に設けられたスリット２３０を通じて直下のフレームユニット２２の側壁２２２-２２５の上端に載置されている。同様に、フレームユニット２２の側壁２２１および２２６は直下のフレームユニット２２の側壁２２１および２２６の上端に直接に載置されている。
【００５０】
分配用水槽２５が図１２-図１４を参照して説明される。図１２は３段重ねの飼育ユニット１０を後下方から見上げた状態を示す斜視図である。３段に積み重ねられた分配用水槽２５は、本発明で言う給水ユニットを構成している。上端が開口する長尺角箱状の分配用水槽２５は、フレームユニット２２の後部に上下スライド可能に支持されている。分配用水槽２５の底板２５１は、フレームユニット２２に収容された引き出し状水槽１よりも高く位置している。
【００５１】
分配用水槽２５の詳細が図１３および図１４を参照して説明される。図１３は分配用水槽２５を斜め上方から見下ろした斜視図であり、図１４は分配用水槽２５を斜め下方から見上げた斜視図である。分配用水槽２５の底板２５１は、分配用水槽２５の底部を貫通する２つの 溢流用の孔部９０を有している。一つの溢流用の筒部９１が２つの孔部９０の一つから垂下している。残る一つの孔部９０は図略のゴム栓により封止されている。
【００５２】
図１２に示されるように、第１段および第３段の分配用水槽２５の溢流用の筒部９１は、第２段の分配用水槽２５の溢流用の筒部９１と反対位置に設けられている。これにより、分配用水槽２５の水位のばらつきを低減することができる。筒部９１は、第１実施例で言う溢流部に相当する。最下段である第１段の分配用水槽２５の筒部９１から落下する水は、図略の排水装置に排水される。最上段である第３段の分配用水槽２５は、図略の給水装置から給水される。
【００５３】
さらに、分配用水槽２５の底板２５１には、５つの水落下筒部１０が個別に圧入されている５個の孔を有する。各水落下筒部１０はそれぞれ、引き出し状水槽１の５つの水受け部１５の直上に個別に位置している。これにより、分配用水槽２５から各引き出し状水槽１へ供給される水量を適切に調整することができる。好適には、各引き出し状水槽１へは等量の水が供給される。さらに、引き出し状水槽１がフレームユニット２２に装着されていない場合には、水落下筒部１０から落下した水は直下の分配用水槽２５により回収される。
【００５４】
図１５は水落下筒部１０を示す拡大断面図である。給水ロッド１０１が水落下筒部１０を貫通している。水は水落下筒部１０と給水ロッド１０１との間の隙間を通じて落下する。給水ロッド１０１の直径を変更することにより、あるいは、分配用水槽２５の水位を調節することにより、落下する水量が調節される。給水ロッド１０１の頂部は、横方向へ突出する係合部１０２に固定されている。この係合部１０２は、分配用水槽２５内に収容された給水ロッド保持板２００の角孔部２０１に遊嵌されている。
【００５５】
図１６は、分配用水槽２５の断面図である。ただし、溢流用の孔部９０、筒部９１およびゴム栓の図示は省略されている。給水ロッド保持板２００は分配用水槽２５の長手方向へ延在している。給水ロッド保持板２００は５つの角孔部２０１をもつ。２つの取手部２０２が給水ロッド保持板２００の両端に個別に設けられている。これらの取手部２０２は、分配用水槽２５の側壁上部に設けられたガイド溝２５３に上下スライド可能に嵌められている。その結果、給水ロッド保持板２００を上下にスライドさせることにより、各給水ロッド１０１は各水落下筒部１０内を個別に上下することができる。これにより、小さい異物等による水落下筒部１０内の水詰まりを防止することができる。さらに、給水ロッド保持板２００を分配用水槽２５から容易に取り外すことができるので、給水ロッド保持板２００および給水ロッド１０１の清掃が容易となる。他の構造および機能は第１実施例と本質的に同じである。
【００５６】
本発明の飼養装置の効果が以下に説明される。まず、多数のゼブラフィッシュをコンパクトな空間内に飼養しつつ、すべてのゼブラフィッシュの側面からの観察、判定が可能となる。これはこの種の装置において、非常に重要な点である。次に、各引き出し状水槽１は別々の蓋カバーにより覆われるため、蓋カバーを取り外した時でもゼブラフィッシュが隣のゼブラフィッシュ収容空間に飛び込んで、試験結果を無効化することがない。
【００５７】
この実施例によれば、横方向及び垂直方向へ配列された多数の引き出し状水槽１へのそれぞれ独立の定量給水を簡素な機構で実現することができる。さらに、各引き出し状水槽１に別々に投与した餌や薬剤が隣の引き出し状水槽１に拡散することを防止することができる。
【００５８】
上記実施例において、各引き出し状水槽１の操作は手動にて行われる。しかし、この装置が大規模化される場合、各引き出し状水槽１の引き出し、引き出された引き出し状水槽１内のゼブラフィッシュの撮像及び画像判定、及び、判定結果に基づく引き出し状水槽１の番号の記憶乃至表示を自動的に実施してもよいことはもちろんである。さらに、判定結果に基づいて決定された引き出し状水槽１の引き出し動作を自動化することも可能である。
【図１】
0006351688.tif 000002
【図２】
0006351688.tif 000003
【図３】
0006351688.tif 000004
【図４】
0006351688.tif 000005
【図５】
0006351688.tif 000006
【図６】
0006351688.tif 000007
【図７】
0006351688.tif 000008
【図８】
0006351688.tif 000009
【図９】
0006351688.tif 000010
【図１０】
0006351688.tif 000011
【図１１】
0006351688.tif 000012
【図１２】
0006351688.tif 000013
【図１３】
0006351688.tif 000014
【図１４】
0006351688.tif 000015
【図１５】
0006351688.tif 000016
【図１６】
0006351688.tif 000017